(57)【要約】 【課題】  より簡単に組立てることができ、かつ、より低製造コストのバックライトを提供する。【解決手段】  液晶パネルを照らすバックライト組立体であって、複数のコンタクトパッドを内蔵したフレーム本体を有するフレームと、前記フレームに搭載された導光板とを含み、かつ、一以上の発光装置は、前記コンタクトパッドに接続され、それぞれ前記導光板の第一面に面する光照射面を有し、前記一以上の発光装置から発せられた光は、前記導光板の第二面を通して液晶パネルへ出るバックライト組立体を提供する。【選択図】  図４
2005208587.tif 000002
【特許請求の範囲】
【請求項１】
液晶パネルを照射するバックライト組立体であって、
複数のコンタクトパッドを内蔵したフレーム本体を有するフレームと、
前記フレームに搭載された導光板と、を含み、
一以上の発光装置が前記コンタクトパッドに接続され、各発光装置が前記導光板の第一面に面する光照射面を有し、前記一以上の発光装置から出射された光は、前記導光板の第二面を介して液晶パネルへ出射することを特徴とするバックライト組立体。
【請求項２】
前記導光板側に設置され、前記液晶パネルへ導光する反射シートを含むことを特徴とする請求項１に記載のバックライト組立体。
【請求項３】
前記一以上の発光装置が前記導光板の前記液晶パネルの側の反対側に設置されることを特徴とする請求項１に記載のバックライト組立体。
【請求項４】
前記一以上の発光装置は、前記導光板の側端に隣接して設置されることを特徴とする請求項３に記載のバックライト組立体。
【請求項５】
反射部材が前記導光板の側端域に配され、前記一以上の発光装置から発せられた光を反射させることを特徴とする請求項４に記載のバックライト組立体。
【請求項６】
前記反射部材に反射コーティングが施されていることを特徴とする請求項５に記載のバックライト組立体。
【請求項７】
前記反射部材が、発光装置からの光を反射させる角度が傾いた前記導光板の表面に形成することを特徴とする請求項５に記載のバックライト組立体。
【請求項８】
前記導光板が、第一面に一以上の凹型穴を含み、前記一以上の発光装置の前記光照射面を包含することを特徴とする請求項３に記載のバックライト組立体。
【請求項９】
前記導光板の第一面が前記導光板の端面であることを特徴とする請求項１に記載のバックライト組立体。
【請求項１０】
前記フレーム本体が射出成形によって形成されることを特徴とする請求項１に記載のバックライト組立体。
【請求項１１】
前記コンタクトパッドにおいて、前記一以上の発光装置が前記コンタクトパッドとの接合部によって接続される弾性の湾曲部を含むことを特徴とする請求項１に記載のバックライト組立体。
【請求項１２】
前記一以上の発光装置が半田付けによって前記コンタクトパッドに接続されることを特徴とする請求項１に記載のバックライト組立体。
【請求項１３】
前記コンタクトパッドが導電性金属又は導電性合金からなることを特徴とする請求項１に記載のバックライト組立体。
【請求項１４】
前記一以上の発光装置が発光ダイオードを含むことを特徴とする請求項１に記載のバックライト組立体。
【請求項１５】
バックライト組立体のフレーム構造体であって、
フレーム本体と、
前記フレーム本体に内蔵され電源に外部接続し一以上の発光装置の搭載するために形成される複数のコンタクトパッドと、を含むことを特徴とするフレーム構造体。
【請求項１６】
前記フレーム本体が射出成形によって形成されることを特徴とする請求項１５に記載のフレーム構造体。
【請求項１７】
前記コンタクトパッドが前記一以上備える発光装置は、接合部によって接続される弾性湾曲部を含むことを特徴とする請求項１５に記載のフレーム構造体。
【請求項１８】
前記コンタクトパッドが導電性金属または導電性合金からなることを特徴とする請求項１５に記載のフレーム構造体。
【請求項１９】
前記一以上の発光装置が発光ダイオードを含むことを特徴とする請求項１５に記載のフレーム構造体。
【発明の詳細な説明】
【技術分野】
【０００１】
本発明は、液晶ディスプレイのバックライト組立体に関し、特に、そのバックライト組立体のフレーム構造体に関するものである。
【背景技術】
【０００２】
従来から、透過型液晶ディスプレイと半透過型液晶ディスプレイでは、液晶パネルの後方（すなわち、観察者が観察する方向と逆方向）から照射するバックライトが用いられている。
【０００３】
図１は、先行技術に基づく液晶ディスプレイシステムの従来のバックライトの組立て透視図であり、図２は、図１の断面１Ｂに沿った断面図である。
【０００４】
液晶ディスプレイシステムの構造は、一般的に、液晶パネル１０、プリズム層２２、２４、光拡散層２６、導光板６１と反射シート６５がそれぞれ積み重なって組立てられたフレーム６３を含む。液晶パネル１０は、一般的に、フレキシブルプリント回路１２に接続され、ＬＣＤを駆動するために備えられている。
【０００５】
フレーム６３は、通常、矩形を成し、液晶パネル１０の一般的な形状に対応する。フレーム６３の側部に蛍光管６６と反射器６７を搭載している（以下、主に図２参照）。蛍光管６６は一般に冷陰極蛍光管が用いられている。フレキシブルプリント回路６８が蛍光管６６の上に形成され、蛍光管６６の照明を駆動する。更に、遮光層６９は、通常フレキシブルプリント回路６８及び蛍光管６６の組立て後に残る許容差からの漏光を覆うことで漏光を防ぐのに設置される。図１の参照番号６０で示された部材は従来のバックライト組立体であり、フレーム６３、導光板６１、及び反射シート６５であり、さらに、図２を参照して、蛍光管６６、反射器６７、フレキシブルプリント回路６８及び遮光層６９を含む。
【特許文献１】特開平６−２２２３６４号公報
【発明の開示】
【発明が解決しようとする課題】
【０００６】
従来のバックライト６０の構造体は、過剰な数の組立て部品により、経済的に満足のいくものでなかった。よって、より簡単に組立可能であり、より低製造コストの新しいバックライトを設計する要請があった。
【課題を解決するための手段】
【０００７】
本願では、液晶ディスプレイのバックライト組立体について説明している。一実施例に基づくと、バックライト組立体は、液晶パネル、導光板及び一以上の発光装置を搭載するフレームを含む。フレームは、フレームの本体に内蔵された複数の導電部材を含み、コンタクトパッド（導通用パッド）の中へ突出し発光装置に接続する。導電部材は電源と外部接続し、電流を発光装置へ供給する。
【０００８】
さらに、一実施例では、発光装置が導光板側の液晶ディスプレイの側とは反対の側に面して搭載された発光ダイオードで形成されている。発光装置は導光板の側端に隣接して設置され、反射部分は導光板の中心部に向けて導光するように側端に提供される。他の実施例では、発光装置が導光板の側端に付帯する光を照射するように搭載された発光ダイオードで形成されている。
【０００９】
他の実施例では、コンタクトパッドが、発光装置が接合部によって接続している弾性パッドの方へ曲がるように形成されている。
【００１０】
さらに、以下詳細に本発明について述べる。
【００１１】
本発明は、液晶パネルを照射するバックライト組立体であって、複数のコンタクトパッドを内蔵したフレーム本体を有するフレームと、前記フレームに搭載された導光板と、を含み、一以上の発光装置が前記コンタクトパッドに接続され、各発光装置が前記導光板の第一面に面する光照射面を有し、前記一以上の発光装置から出射された光は、前記導光板の第二面を介して液晶パネルへ出射することを特徴とするバックライト組立体を提供する。
【００１２】
本発明は、前記導光板側に設置され、前記液晶パネルへ導光する反射シートを含むことを特徴とする上記バックライト組立体を提供する。
【００１３】
本発明は、前記一以上の発光装置が前記導光板の前記液晶パネルの側の反対側に設置されることを特徴とする上記バックライト組立体を提供する。
【００１４】
本発明は、前記一以上の発光装置は、前記導光板の側端に隣接して設置されることを特徴とする上記バックライト組立体を提供する。
【００１５】
本発明は、反射部材が前記導光板の側端域に配され、前記一以上の発光装置から発せられた光を反射させることを特徴とする上記バックライト組立体を提供する。
【００１６】
本発明は、前記反射部材に反射コーティングが施されていることを特徴とする上記バックライト組立体を提供する。
【００１７】
本発明は、前記反射部材が、発光装置からの光を反射させる角度が傾いた前記導光板の表面に形成することを特徴とする上記バックライト組立体を提供する。
【００１８】
本発明は、前記導光板が第一面に一以上の凹型穴を含み、前記一以上の発光装置の前記光照射面を包含することを特徴とする上記バックライト組立体を提供する。
【００１９】
本発明は、前記導光板の第一面が前記導光板の端面であることを特徴とする上記バックライト組立体を提供する。
【００２０】
本発明は、前記フレーム本体が射出成形によって形成されることを特徴とする上記バックライト組立体を提供する。
【００２１】
本発明は、前記コンタクトパッドにおいて、前記一以上の発光装置が前記コンタクトパッドとの接合部によって接続される弾性の湾曲部を含むことを特徴とする上記バックライト組立体を提供する。
【００２２】
本発明は、前記一以上の発光装置が半田付けによって前記コンタクトパッドに接続されることを特徴とする上記バックライト組立体を提供する。
【００２３】
本発明は、前記コンタクトパッドが導電性金属又は導電性合金からなることを特徴とする上記バックライト組立体を提供する。
【００２４】
本発明は、前記一以上の発光装置が発光ダイオードを含むことを特徴とする上記バックライト組立体を提供する。
【００２５】
本発明は、フレーム本体と、前記フレーム本体に内蔵され電源に外部接続し一以上の発光装置の搭載するために形成される複数のコンタクトパッドと、を含むことを特徴とするバックライト組立体のフレーム構造体を提供する。
【００２６】
本発明は、前記フレーム本体が射出成形によって形成されることを特徴とする上記フレーム構造体を提供する。
【００２７】
本発明は、前記コンタクトパッドが前記一以上備える発光装置は、接合部によって接続される弾性湾曲部を含むことを特徴とする上記フレーム構造体を提供する。
【００２８】
本発明は、前記コンタクトパッドが導電性金属または導電性合金からなることを特徴とする上記フレーム構造体を提供する。
【００２９】
本発明は、前記一以上の発光装置が発光ダイオードを含むことを特徴とする上記フレーム構造体を提供する。
【発明の効果】
【００３０】
本発明のバックライト組立体は簡単な構造を有し、特に、比較的高価な部材のフレキシブルプリント回路板を必要としない。バックライト組立体のフレームへの発光装置の搭載は、同時に、発光装置の電気接続を達成するため、組立てプロセスを簡略化し、低製造コストを実現する。
【発明を実施するための最良の形態】
【００３１】
本発明についての目的、特徴及び利点が一層明確に理解されるよう、以下に実施形態を例示し、添付図面を参照して詳細に説明する。
【実施例】
【００３２】
本願においては、液晶ディスプレイシステムのバックライト組立体について説明している。図３は、本発明の実施例に基づいた液晶ディスプレイシステム１００の組立てを示す分解図であり、図４は、図３の断面２Ｂ−２Ｂに沿った断面図であり、組立てられた液晶ディスプレイシステムを示している。液晶ディスプレイシステム１００は、組立てフレーム２１０にバックライトシステム２００に搭載された液晶パネル１１０を含む。
【００３３】
液晶パネル１１０は、多層構造から構成され、二つの透明基板の間に挟まれた液晶層を含む。液晶パネルは、スイッチング素子によって駆動される複数の画素電極を含み、液晶を透過する光を変調する。
【００３４】
図４の実施例では、一以上の発光装置２６０は、突出したコンタクトパッド２１２ａに接続されることによってフレーム２１０（図３参照）に搭載される。導光板２２０は、発光装置２６０と液晶パネル１１０との間でフレーム２１０に搭載される。反射シート２１４は、光を液晶パネル１１０へ導光するように導光板２２０の下に配される。
【００３５】
図４に示されるように、コンタクトパッド２１２ａは、フレーム２１０の本体に内蔵された導電部材２１２の延伸部である。導電部材２１２は、フレーム２１０の外側の端子２１２ｂへ延伸し、電源（図示しない）に電気的に接続される。各種の処理方法を内蔵のコンタクトパッドが提供されたフレーム２１０の構成に導入することができる。射出成形による製造例では、プラスチック材料を型に射出することができ、導電材料が外側に露出したコンタクトパッドに配置される。コンタクトパッド２１２ａは、導電性金属または導電性合金などのいかなる導電材料からでも構成可能である。
【００３６】
図５は、本実施例のバックライトに実施された発光装置２６０の例を示している。本発明に施与された発光装置２６０は、発光ダイオードで構成することができる。発光ダイオード２６０は、光が外側から照射する上照射面２６４と電機接続のための端子パッド２６６とを含む。図５及び図６の実施例では、発光ダイオードは、端子パッド２６６がコンタクトパッド２１２に接続され、照射面２６４が導光板２２０の底面２２０ａに対向した状態で、フレーム２１０に搭載することができる。さらに、その他の組立て構成を後述のように設定することもできる。
【００３７】
発光装置２６０の端子パッド２６６をコンタクトパッド２１２に接続するのに、半田付け、プレス接着等の方法を導入することができる。図６は、他の異なる実施例を示す。フレーム２１０（図３参照）は収容空間２１８を形成し、コンタクトパッド２１２は曲げられ、弾性パッド２２４を形成する。よって、発光装置２６０は、収容空間２１８の弾性パッド２２４で簡単な接合によって搭載され接続することができる。
【００３８】
図６、図７及び図８に示される実施例では、発光装置２６０は、底面２１２ａ（図４参照）に対向し、且つ、導光板２２０の側端２２０ｂに隣接して置かれる。側端２２０ｂは、導光板２２０の周囲への漏光を防ぐために、発光装置２６０からの光２２６を反射するために形成された端面反射部２２２を含むことができる（図７参照）。
【００３９】
図７で示された反射部２２２を形成するために多くの方法を用いることができる。図７は、導光板２２０の側端面を覆う反射コーティング２２２ａによって形成された反射部２２２ａの例を示している。
【００４０】
図８は、発光装置２６０からの光２２６を反射させる角度に傾いた側端面２２２ｂを形成することによって、反射部２２２を形成することができる他の例を示している。
【００４１】
図９で示された他の実施例では、導光板２２０の底面２２０ａが、更に、凹型穴２２８を備えることが可能である。凹型穴２２８は、発光装置２６０の光照射面を入れることで、反射部２２２への光路が短縮される。
【００４２】
図１０及び図１１は、本発明に基づいたバックライト組立体の他の実施例を示している。この実施例では、バックライトフレーム３１０が導光板３２０の側端３２０ａに対向して搭載された一以上の発光装置３６０を収納するために形成される。発光装置３６０は内蔵のコンタクトパッド３１２ａに接続する。発光装置３６０からの出射光は、側端３２０ａの表面に付帯し、導光板３２０の上面３２０ｂを介して液晶パネル１１０へ出射する。
【００４３】
図１１は、本実施例で実施された発光装置３６０の例を示している。発光装置３６０は、照射側面３６４と電気接続のための端子パッド３６６を有する発光ダイオードを用いて構成可能である。発光装置３６０は、端子パッド３６６がコンタクトパッド３１２ａに接続され、かつ、照射側面３６４が導光板３２０の側端面３２０ａに面した状態でフレーム３１０に搭載される（図１０参照）。
【００４４】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００４５】
【図１】液晶ディスプレイシステムのバックライトの分解図である。
【図２】図１の液晶ディスプレイシステムのバックライトの断面１Ｂ−１Ｂに沿った断面図である。
【図３】本発明の他の実施例に基づいたバックライト組立体の断面図である。
【図４】本発明の他の実施例に基づいたバックライト組立体に実施された発光装置の概略図である。
【図５】本発明の実施例に基づいた液晶ディスプレイシステムのバックライトを示す分解図である。
【図６】図５の液晶ディスプレイシステムのバックライトの断面２Ｂ−２Ｂに沿った断面図である。
【図７】本発明の実施例に基づいたバックライト組立体に適用された発光装置の概略図である。
【図８】発光装置が弾性コンタクトパッドとの接合によって接続される、他の実施例に基づいたバックライト組立体の断面図である。
【図９】本発明の各種の実施例に基づいた導光板の概略図である。
【図１０】本発明の各種の実施例に基づいた導光板の概略図である。
【図１１】本発明の各種の実施例に基づいた導光板の概略図である。
【符号の説明】
【００４６】
１０        液晶パネル  
１２        フレキシブルプリント回路
２２、２４  プリズム層
２６        光拡散層
６１        導光板
６３        フレーム
６５        反射シート
６６        蛍光管
６７        反射器
６８        フレキシブルプリント回路
６９        遮光層
１Ｂ        断面
１００      液晶ディスプレイシステム
１１０      液晶パネル
２１０      フレーム  
２１２      導電部材
２１２ａ    コンタクトパッド
２１２ｂ    端子
２１４      反射シート
２１８      収容空間
２２０      導光板
２２０ａ    底面
２２０ｂ    側端
２２２      反射部
２２２ａ    反射コーティング
２２２ｂ    側端面
２２４      弾性パッド
２２６      光
２２８      凹型穴
２６０      発光装置
２６４      上照射面
２６６      端子パッド
２Ｂ        断面
３１０      バックライトフレーム
３１２ａ    コンタクトパッド
３２０      導光板
３２０ａ    側端
３２０ｂ    上面
３６０      発光装置
３６４      照射側面
３６６      端子パッド
【図１】
2005208587.tif 000003
【図２】
2005208587.tif 000004
【図３】
2005208587.tif 000005
【図４】
2005208587.tif 000006
【図５】
2005208587.tif 000007
【図６】
2005208587.tif 000008
【図７】
2005208587.tif 000009
【図８】
2005208587.tif 000010
【図９】
2005208587.tif 000011
【図１０】
2005208587.tif 000012
【図１１】
2005208587.tif 000013